(57)【要約】【課題】玄関内に花粉等の有害物質が侵入するのを防止し且つ玄関内に持ち込まれた花粉を効果的に除去する。【解決手段】入り口建具１０ａを有する玄関１０が当該玄関１０から出入りされる屋内空間２０との間を仕切る建具１０ｂを気密状態に備えている住宅Ｈであって、この玄関１０内に清浄フィルター１１ｃを介して外気を機械的に取り込む給気手段１１ａと、当該玄関１０内空気を屋外に機械的に送り出す排気手段１１ｂとが設けてあり、しかも、この玄関１０内に当該住宅Ｈに備えられている吸気装置における吸込み手段１４が設けてあると共に、帽子、コート、ウインドブレーカー等の屋外着装用装具類の収納部１６を備えている。【選択図】図１
2007092371.tif 000002
【特許請求の範囲】
【請求項１】
入り口建具を有する玄関が当該玄関から出入りされる屋内空間との間を仕切る建具を気密状態に備えている住宅であって、
この玄関内に清浄フィルターを介して外気を機械的に取り込む給気手段と、当該玄関内空気を屋外に機械的に送り出す排気手段とが設けてあり、
しかも、この玄関内に当該住宅に備えられている吸気装置における吸込み手段が設けてあると共に、帽子、コート、ウインドブレーカー等の屋外着装用装具類の収納部が備えられていることを特徴とする住宅。
【請求項２】
前記給気手段と前記排気手段とを備える換気装置が熱交換換気装置であることを特徴とする請求項１に記載の住宅。
【請求項３】
前記玄関に洗面装置が備えられていることを特徴とする請求項１又は請求項２に記載の住宅。
【請求項４】
前記洗面装置に洗眼水栓が備えられていることを特徴とする請求項３に記載の住宅。
【請求項５】
前記玄関で仕切られた屋内側に備えられて、清浄フィルターを介して外気を導き入れるようにしてある屋内空間内に他の住空間と区分されるように仕切られた仕切り空間を備えており、この仕切り空間内に浴室と洗濯機とを備え、しかも、当該仕切り空間内の空気を機械的に屋外に送り出す排気手段を備えていることを特徴とする請求項１、請求項２、請求項３又は請求項４に記載の住宅。
【請求項６】
前記浴室が浴室換気乾燥機を備えていることを特徴とする請求項５に記載の住宅。
【請求項７】
前記玄関で仕切られた屋内側に備えられて、清浄フィルターを介して外気を導き入れるようにしてある屋内空間内に当該清浄フィルターを介して機械的に外気を取り込むようにしてあることを特徴とする請求項１、請求項２、請求項３、請求項４、請求項５又は請求項６に記載の住宅。
【請求項８】
前記玄関で仕切られた屋内側に備えられて、清浄フィルターを介して外気を導き入れるようにしてある屋内空間が、当該清浄フィルターを介して機械的に外気を取り込む給気手段と、当該屋内空間内の空気を機械的に屋外に送り出す排気手段とを備えた熱交換換気装置を備えていることを特徴とする請求項１、請求項２、請求項３、請求項４、請求項５又は請求項６に記載の住宅。
【発明の詳細な説明】
【技術分野】
【０００１】
この発明は、杉や檜等の各種花粉、自動車の排気ガスや燃焼処理や反応処理等によって工場等から生ずる排気ガス等の各種排ガス、空気中に浮遊されることとなったダニの死骸粉や黴など種々の態様で空気中に浮遊されることとなった各種粉塵、窒素酸化物等の有害物質の侵入を極力防ぐようにした住宅の提供に関する。
【背景技術】
【０００２】
近時、住宅街に飛来する杉や檜等の花粉量は増加の一途にある。また、住宅街における自動車の排気ガスその他の排気ガス、ダニ死骸屑、黴等各種原因によって生ずる微粉塵、窒素酸化物等による汚染が増加する傾向にある。
【０００３】
また、一方では、各種異物に対してアレルギー症状を生ずる患者が増加する傾向にある。
【０００４】
かかる点から、マスクやゴーグル等を着用して花粉症等の発症を防ぐことが試みられているが、終日マスクやゴーグル等を着用して日常生活をすることは難しく、花粉症等を気にせずに過ごせる住環境が要請されている。
【０００５】
このような住環境を提供するものとして特許文献１に示される住宅の間取り構造が開示されている。また、特許文献２では、特に、就寝時における良好な住環境を維持し得るように住宅用クリーンルームが開示されている。
【特許文献１】特開２００４−４４３５２
【特許文献２】特開２００２−３１３８２
【発明の開示】
【発明が解決しようとする課題】
【０００６】
しかしながら、この特許文献１に示される住宅の間取り構造にあっては、住宅における第１領域部と第２領域部とをシャワー室を介して往来するようにしてあることから、住宅における第１領域部から第２領域部に出入りする際には逐一シャワー室を経由する必要があり、日常生活の軽快な活動性を著しく損なう不具合があった。
【０００７】
また、特許文献２に示される住宅用クリーンルームにあっては、就寝状態における呼吸に都合の良い環境が構成されており、しかも、外部から室内に入る際にエアシャワー室において入室者に付着している塵埃等を除去するようにしてあるものの、入室者に付着している塵埃等を当該エアシャワーのみで除去することは難しく、また、このエアシャワー室からドアをあけて入室する際に当該エアシャワー室の塵埃等が室内に侵入する不具合が避け難いものであった。
【０００８】
この発明は、かかる従来の住宅における不具合を解消し、住宅における日常の
生活リズムを損なうことなく、しかも、住宅における主たる居住空間において外部から侵入される杉や檜等の各種花粉、自動車の排気ガスや燃焼処理や反応処理等によって工場等から生ずる排気ガス等の各種排ガス、空気中に浮遊されることとなったダニの死骸粉や黴など種々の態様で空気中に浮遊されることとなった各種粉塵、窒素酸化物等の有害物質に健康を害されることなく快適に暮らし得る住宅の提供をなすものである。
【課題を解決するための手段】
【０００９】
前記課題を解決するために、この発明は、入り口建具を有する玄関が当該玄関から出入りされる屋内空間との間を仕切る建具を気密状態に備えている住宅であって、
この玄関内に清浄フィルターを介して外気を機械的に取り込む給気手段と、当該玄関内空気を屋外に機械的に送り出す排気手段とが設けてあり、
しかも、この玄関内に当該住宅に備えられている吸気装置における吸込み手段が設けてあると共に、帽子、コート、ウインドブレーカー等の屋外着装用装具類の収納部が備えられていることを特徴とする住宅としてある。
【００１０】
このように構成される住宅にあっては、住宅に入る際に、杉や檜等の各種花粉、自動車の排気ガスや燃焼処理や反応処理等によって工場等から生ずる排気ガス等の各種排ガス、空気中に浮遊されることとなったダニの死骸粉や黴など種々の態様で空気中に浮遊されることとなった各種粉塵、窒素酸化物等の有害物質（杉や檜等の各種花粉、自動車の排気ガスや燃焼処理や反応処理等によって工場等から生ずる排気ガス等の各種排ガス、空気中に浮遊されることとなったダニの死骸粉や黴など種々の態様で空気中に浮遊されることとなった各種粉塵、窒素酸化物等の有害物質を、以下、「花粉等の有害物質」と称する。）のもっとも付着している帽子、コート、ウインドブレーカー等の屋外着装用装具類を脱ぎ、これを収納部に納め入れると共に身体に付着している花粉等の有害物質を吸気装置の吸込み手段を用いて除去し、また、当該玄関の入り口建具の開閉に伴って当該玄関に侵入した花粉等の有害物質や、屋外着装用装具類や身体等に付着して当該玄関内に持ち込まれて当該玄関内空気中に含まれた花粉等の有害物質を当該玄関から強制的に除去し、しかも、当該玄関内に侵入あるいは持ち込まれて玄関床等に付着した花粉等の有害物質を前記吸込み手段を用いて効果的に除去することができる。
【００１１】
このように玄関内環境を花粉等の有害物質が無い状態になすと共に、当該玄関で仕切られた住宅の屋内側に備えられ且つ清浄フィルターを介して外気を導き入れるようにしてある屋内空間（当該玄関で仕切られて当該玄関から気密状態に備えられている建具を介して出入りされる当該住宅の玄関の屋内側に備えられており、しかも、清浄フィルターを介して外気を導き入れるようにしてある屋内空間を、以下、「当該屋内空間」と称す。）に入る者に付着している花粉等の有害物質を除去した状態で、当該屋内空間との間の建具を開けて当該屋内空間内に入るようにすることによって、当該屋内空間に入る際に当該屋内空間に花粉等の有害物質の侵入するのを効果的に防止することができる。
【００１２】
また、前記構成に係る住宅において、前記給気手段と前記排気手段とを備える換気装置を熱交換換気装置とした住宅にあっては、前記特長に併せて、当該玄関における換気に伴う熱損失を極力少なくすることができる。
【００１３】
さらに、前記構成に係る住宅において、前記玄関に洗面装置を備えた住宅にあっては、手洗いや、洗顔等によって当該玄関から当該玄関の建具を介して出入りされる当該屋内空間に入る前に、より効果的に身体に付着している花粉等の有害物質を取り除き、当該屋内空間に対して花粉等の有害物質の持ち込みを防ぐことができる。
【００１４】
また、この洗面装置に洗眼水栓が備えられた住宅にあっては、前記特長に併せて、眼に付着している花粉等の有害物質を当該玄関から当該屋内空間に入る前に効果的に除去することができる。
【００１５】
さらに、前記構成に係る住宅において、前記玄関で仕切られた屋内側に備えられて、清浄フィルターを介して外気を導き入れるようにしてある屋内空間、すなわち当該屋内空間内に他の住空間と区分されるように仕切られた仕切り空間を設け、この仕切り空間内に浴室と洗濯機とを備え、しかも、当該仕切り空間内の空気を機械的に屋外に送り出す排気手段を備えた構成の住宅にあっては、花粉等の有害物質の付着されている各種衣服や屋外において着装された装具類の洗濯や、身体の洗浄等を、独立に仕切られ、かつ、機械的な排気手段を備えた仕切り空間内にある洗濯機及び浴室を用いて安全かつ円滑に行うことができる。
【００１６】
また、前記構成に係る住宅において、かかる浴室を浴室換気乾燥機を備えた浴室として構成することによって、洗濯物を花粉等の有害物質に晒されることのない状態で安全にかつ確実に乾燥させることができる。
【００１７】
また、前記構成に係る住宅において、前記玄関で仕切られた屋内側に備えられて、清浄フィルターを介して外気を導き入れるようにしてある屋内空間内、すなわち当該屋内空間内に当該清浄フィルターを介して機械的に外気を取り込むようにしてある構成の住宅にあっては、花粉等の有害物質によって汚損されていない当該屋内空間内に新鮮で、かつ、清浄な空気を任意に取り込み、快適な屋内空間を構成することができる。
【００１８】
また、前記構成に係る住宅において、前記玄関で仕切られた屋内側に備えられて、清浄フィルターを介して外気を導き入れるようにしてある屋内空間、すなわち、当該屋内空間が、当該清浄フィルターを介して機械的に外気を取り込む給気手段と、当該屋内空間内の空気を機械的に屋外に送り出す排気手段とを備えた熱交換換気装置を備えている住宅にあっては、当該屋内空間における換気を熱損失の少ない態様で達成することができる。
【発明の効果】
【００１９】
この発明に係る住宅は、玄関ドアの開閉に伴って外気と共に玄関内に侵入される花粉等の有害物質を当該玄関部分において効果的に除去すると共に、玄関への入室者に付着して当該玄関に持ち込まれた花粉等の有害物質を当該玄関から当該屋内空間に極力侵入させないようにして、花粉等の有害物質によって健康が損なわれることのないようにしてある。
【発明を実施するための最良の形態】
【００２０】
以下、図１〜図４に基づいて、この発明を実施するための最良の形態に係る住宅について説明する。
【００２１】
なお、ここで図１は当該発明を実施するための最良の形態に係る住宅Ｈを概ね平断面の状態にして上から見た概略構成図であり、図２は、この概ね平断面状態で示される住宅Ｈの玄関１０部分を拡大して示しており、図３は、吸気ダクト１３に接続されて当該玄関１０に備えられている吸込み手段１４の一例を斜め上方から見て示している。また、図４は、当該発明を実施するための他の最良の形態に係る住宅Ｈを概ね平断面の状態にして上から見た概略構成図である。
【００２２】
この発明を実施するための最良の形態に係る住宅Ｈは、入り口建具１０ａを有する玄関１０が当該玄関１０から出入りされる屋内空間２０との間を仕切る建具１０ｂを気密状態に備えている住宅Ｈであって、
この玄関１０内に清浄フィルター１１ｃを介して外気を機械的に取り込む給気手段１１ａと、当該玄関１０内空気を屋外に機械的に送り出す排気手段１１ｂとが設けてあり、
しかも、この玄関１０内に当該住宅Ｈに備えられている吸気装置（図示省略）における吸込み手段１４が設けてあると共に、帽子、コート、ウインドブレーカー等の屋外着装用装具類の収納部１６が備えられている構成としてある。
【００２３】
かかる構成からなる住宅Ｈは、木造住宅や、鉄筋コンクリート造住宅や、鉄骨鉄筋コンクリート造住宅等いかなる構成材によって構成されていても、また、いかなる工法によって構成された住宅であってもよい。また、多層階を備えた住宅や、多層階に構成された住宅としてあっても、平屋として構成された住宅であってもよく、所謂、集合住宅として構成してあっても、また、戸建て住宅として構成してあってもよい。
【００２４】
また、ここで住宅Ｈに備えられる玄関１０は当該玄関１０に隣接する当該屋内空間２０との間に備えられる建具１０ｂが気密状態を維持するように備えられておれば、当該建具１０ｂを一個以上設けるようにしてあってもよく、また、入り口建具１０ａも同様に一個以上設けるようにしてあってもよい。
【００２５】
また、この玄関１０に備えられる給気手段１１ａと排気手段１１ｂは、清浄フィルター１１ｃを介して外気を当該玄関１０内に機械的に取り込み、かつ、当該玄関１０内の空気を機械的に屋外に送り出し得るものであれば、いかなる形態の給気手段１１ａであっても、いかなる形態の排気手段１１ｂであってもよい。かかる給気手段１１ａと排気手段１１ｂとは、例えば、それぞれに給気手段１１ａと排気手段１１ｂとを独立した状態に設け、外気を当該玄関１０内に直接又はダクトを介して取り込み、また、当該玄関１０内の空気を直接又はダクトを介して屋外に送り出すようにしてあっても、当該給気手段１１ａによる給気エアと排気手段１１ｂによる排気エアとの間で熱交換をするようにしてあってもよい。
【００２６】
また、この給気手段１１ａによる外気の取り込みに際して用いられる清浄フィルター１１ｃは、大気中に含まれている花粉等の有害物質を捕捉して、玄関１０内環境を清浄に維持し得るものであれば、いかなる種類の清浄フィルターであってもよく、例えば、微細なエア流路を有する極細繊維からなるフェルト状フィルター、微細なエア流路を有する帯電繊維からなるフェルト状フィルター等大気中に浮遊する粉塵が引っ掛かったり、吸着されるなど、当該清浄フィルターで捕捉し得るものであれば、いかなる種類のものであってもよい。また、かかる清浄フィルターは一種類のフィルター材によって構成してあっても、複数種のフィルター材によって構成してあってもよく、さらに、一層のフィルター材によって構成してあっても、複数層にフィルター材を積層して構成してあってもよい。また、この多層のフィルター材の積層体として用意される清浄フィルターは、一種類のフィルター材の積層体としてあっても、他種類のフィルターの積層体として構成してあってもよい。例えば、外気に面している給気側では比較的粗めの空気流路を備えるフィルター材を配し、玄関内側に向かって漸次当該空気流路の小さなフィルター材を積層した清浄フィルターや、当該積層フィルター材の一部積層フィルター材又は当該積層フィルター材の全部を帯電状態にした清浄フィルターや、当該フィルター材の一部積層フィルター材を窒素酸化物除去フィルター材にした清浄フィルター等を用いることができる。
【００２７】
また、当該住宅Ｈに備えられている吸気装置及び当該玄関１０内に備えられる吸込み手段１４は、この玄関１０内において着装装具類に付着している花粉等の有害物質を効果的に吸引除去し得るものであれば、いかなる形態の吸気装置及び吸込み手段１４であってもよい。
【００２８】
かかる吸気装置は、当該玄関１０に設けてあっても、また、当該吸気装置を玄関１０から離れた住宅Ｈ部分に設け、当該玄関１０に備えられる吸込み手段１４との間に吸気ダクト１３を設けるようにしたものであってもよく、例えば、ダクトの出口側に備えたブロアーによって当該ダクト内エアを外部に送り出し、この減圧状態にあるダクトに吸込み手段１４を連通状態にして用いるようにしてあってもよい。
【００２９】
また、かかる吸気装置に接続して用いられる吸込み手段１４は、玄関１０内に浮遊している花粉等の有害物質の吸入や、玄関１０内に立ち入った人の身体や着装装具類や衣類等に付着している花粉等の有害物質の吸入や、玄関１０の床面や壁面等に付着している花粉等の有害物質を効果的に吸入し得る形態のものであれば、いかなる形態のものであってもよく、例えば、前記ダクト１３に連通されているホースや、パイプや、チューブ等によって構成することができる。
【００３０】
また、前記玄関１０に備えられる帽子、コート、ウインドブレーカー等の屋外着装用装具類の収納部１６は、これらの屋外着装用装具類を収納し得る構成を備えたものであれば、いかなる形態からなるものであってもよく、例えば、花粉等の有害物質の付着レベルが高く、しかも、外部から屋内に入る際に着装が不要とされる屋外着装用装具類を、外出時に取り出し使用可能な状態で、吊したり、引っ掛けたり、載せ置いたりし得る構成を備えたものとして構成される。
【００３１】
従って、かかる屋外着装用装具類の収納部１６は、コート等のハンガー用ロッド、帽子等の引っ掛けフック、手袋等の収納棚や抽斗などを備えていることが好ましく、しかも、玄関１０の意匠性を損なわないように引き戸やドア等の建具１６ａによって収納物を隠すように構成してあることが好ましい。
【００３２】
このように構成される住宅Ｈにあっては、住宅Ｈに入る際に、花粉等の有害物質のもっとも付着している帽子、コート、ウインドブレーカー等の屋外着装用装具類を脱ぎ、これを収納部１６に納め入れると共に身体に付着している花粉等の有害物質を吸気装置の吸込み手段１４を用いて除去し、また、当該玄関１０の入り口建具１０ａの開閉に伴って当該玄関１０に侵入した花粉等の有害物質や、屋外着装用装具類や身体等に付着して当該玄関内に持ち込まれて当該玄関内空気中に含まれた花粉等の有害物質を当該玄関１０から強制的に除去し、しかも、当該玄関内に侵入あるいは持ち込まれて玄関床等に付着した花粉等の有害物質を前記吸込み手段１４を用いて効果的に除去することができる。
【００３３】
そして、このように玄関内環境を花粉等の有害物質が無い状態になすと共に、当該玄関１０から建具１０ｂを介して出入りされる当該屋内空間２０に入る者に付着している花粉等の有害物質を除去した状態で、当該玄関１０によって仕切られている当該屋内空間２０との間の建具１０ｂを開けて当該屋内空間２０に入るようにすることによって、当該屋内空間２０に対する出入りに伴って当該屋内空間２０に花粉等の有害物質が侵入するのを効果的に防止することができる。
【００３４】
なお、ここで構成されている当該屋内空間２０は、各気密性を備えた窓Ｈｉを備えた各外壁Ｈｎ、Ｈｎ’及び各界壁Ｈｍと気密性を備えた建具１０ｂを備えた玄関１０によって囲まれており、しかも、当該屋内空間２０内に取り込まれる外気が清浄フィルター２１ｂを介した給気によって提供されていることから、花粉等の有害物質の侵入する不具合の無い空間として構成されている。
【００３５】
また、前記構成に係る住宅Ｈにおいて、前記清浄フィルター１１ｃを備える給気手段１１ａと前記排気手段１１ｂとを備える換気装置１１を熱交換換気装置１１Ａで構成することができる。このように玄関１０における給気手段１１ａと排気手段１１ｂとを熱交換換気装置１１Ａによって構成することによって、当該玄関１０における熱損失が極力少ない状態で換気をすることができる。
【００３６】
かかる熱交換換気装置１１Ａは、地域特性等を勘案して全熱交換タイプ又は顕熱交換タイプの各熱交換換気装置の特性を効果的に引き出すように設置して用いることが好ましい。
【００３７】
さらに、前記構成に係る住宅Ｈにおいて、前記玄関１０に洗面装置１５を備えた住宅Ｈにあっては、手洗いや、洗顔等によって当該屋内空間２０に玄関１０から入る前に、より効果的に身体に付着している花粉等の有害物質を取り除き、当該屋内空間２０に花粉等の有害物質の持ち込みを効果的に防ぐことができる。
【００３８】
かかる洗面装置１５は、手や顔を洗うことのできるものであれば、いかなる形態のものであってもよく、単に洗面ボール１５ａと水栓１５ｂとを備えたものであっても、さらに、鏡等を備えた洗面化粧装置としてあっても、さらに、洗面や化粧に必要な用具入れ等を備えた洗面化粧キャビネットとして構成してあってもよい。また、この洗面装置１５を用いて屋外において使用したハンカチーフ、マスク、ゴーグル等の小物装具類を簡易に洗うことができ、玄関１０から当該屋内空間２０に対して花粉等の有害物質の侵入を効果的に防ぐことができる。
【００３９】
また、この洗面装置１５に洗眼水栓１５ｃが備えられた住宅Ｈでは、帰宅時に眼を洗うことで花粉症状をやわらげ、また、当該眼に付着している花粉等の有害物質を当該玄関１０から当該屋内空間２０に入る前に効果的に除去できる特長を有している。
【００４０】
さらに、前記構成に係る住宅Ｈにおいて、前記玄関１０で仕切られた屋内側に備えられて、清浄フィルター２１ｂを介して外気を導き入れるようにしてある屋内空間２０内、すなわち、当該空間２０内に他の住空間と区分されるように仕切られた仕切り空間３０を設け、この仕切り空間３０内に浴室３３と洗濯機３４とを備え、しかも、当該仕切り空間３０内の空気を機械的に屋外に送り出す換気装置３６を備えた構成の住宅Ｈにあっては、花粉等の有害物質の付着されている各種衣服や屋外において着装された装具類の洗濯や、身体の洗浄等を、独立に仕切られ、かつ、機械的排気手段を備えた換気装置３６を有する仕切り空間３０内にある洗濯機３４及び浴室３３を用いて安全かつ円滑に行うことができる。
【００４１】
かかる清浄フィルター２１ｂを介して外気を導き入れるようにしてある当該屋内空間２０は、玄関１０との間が建具１０ｂで気密状態とされており、窓Ｈｉ等が気密状態に設備されており、この清浄フィルター２１ｂを介して導入される以外に外気が直接当該屋内空間２０に入らない構成としてある。すなわち、この屋内空間２０は、花粉等の有害物質の侵入されることのない独立した気密状態にほぼ構成してある。そして、当該屋内空間２０は、各種の居住空間として用いうるものであって、それぞれの居住目的に対応した構成を備えたものとしてある。具体的には、玄関１０で仕切られた当該屋内空間２０としてあり、この住宅Ｈにおいて玄関１０で仕切られた当該屋内空間２０を一個の居住空間として構成してあっても、また、複数個の居住空間に区分して構成してあっても、さらに、上下階あるいは複数階に連なるように構成してあってもよい。
【００４２】
そして、この玄関１０から建具１０ｂを介して出入りされる当該屋内空間２０が、清浄フィルター２１ｂを介して外気を導き入れるように構成してあり、前記玄関１０の仕切り部に備えられている建具１０ｂの気密性と共に、当該屋内空間２０における清浄性、すなわち、花粉等の有害物質の侵入の防がれた独立空間として当該屋内空間２０を構成するようにしてあり、前記玄関１０において用いられる清浄フィルター１１ｃと同様の各種フィルターを用いて当該屋内空間２０を構成することができる。
【００４３】
この玄関１０から建具１０ｂを介して出入りされる当該屋内空間２０に清浄フィルター２１ｂを介して外気を導入する手段は、いかなる手段であってもよく、当該屋内空間２０の使用目的に対応した換気システムであればいかなる換気システムのものであってもよく、例えば、自然換気システム、パッシブ換気システム、機械的な換気システムとしての第１種換気システム、第２種換気システム、第３種換気システム等を選択的に用いることができる。また、かかる換気システムは、それぞれの目的に対応して非熱交換換気システム、熱交換換気システム等を用いることができ、住宅構造に対応してダクト方式としてあってもよい
【００４４】
また、前記構成に係る住宅Ｈにおいて、かかる浴室を浴室換気乾燥機３６ｃを備えた浴室３３として構成することができる。このように浴室３３を浴室換気乾燥機３６ｃを備えた構成とすることによって、洗濯物を室内のみにおいて効率よく乾燥させることができ、花粉等の有害物質に汚損されることなく洗濯物を乾燥させることができる。
【００４５】
また、前記構成に係る住宅Ｈにおいて、前記玄関１０で仕切られた屋内側に備えられて、清浄フィルター２１ｂを介して外気を導き入れるようにしてある当該屋内空間２０内に当該清浄フィルター２１ｂを介して機械的に外気を取り込むようにしてある構成の住宅Ｈにあっては、花粉等の有害物質によって汚損されていない当該屋内空間２０内に新鮮で、かつ、清浄な空気を任意に取り込み、快適な屋内空間２０を構成することができる。
【００４６】
なお、ここで機械的に外気を当該屋内空間２０に取り込む手段は、いかなる態様の取り込み手段であってもよく、当該屋内空間２０に外気を機械的に取り込むことによって、玄関１０と仕切られている当該屋内空間２０の室圧を必要に応じて高めることができる。
【００４７】
また、前記構成に係る住宅Ｈにおいて、前記玄関１０で仕切られた屋内側に備えられて、清浄フィルター２１ｂを介して外気を導き入れるようにしてある当該屋内空間２０が、当該清浄フィルター２１ｂを介して機械的に外気を取り込む給気手段と、当該屋内空間２０内の空気を機械的に屋外に送り出す排気手段とを備えた熱交換換気装置２１Ｄを備えている住宅Ｈにあっては、当該屋内空間２０における換気を熱損失の少ない態様で達成することができる。
【００４８】
ついで、この発明を実施するための最良の形態に係る住宅Ｈを図１〜図３に示される典型的な住宅Ｈについて具体的に説明する。
【００４９】
この図示例に係る住宅Ｈは、当該発明に係る住宅Ｈが理解され易いように集合住宅Ｈにおける一住戸分を典型例として示してある。
【００５０】
この図示例に係る住宅Ｈは、例えば、鉄骨鉄筋コンクリート造等の二階建て以上の集合住宅Ｈを示しており、各一住戸が同一フロアーに構成するようにしてある。
【００５１】
そして、入り口側には共用廊下Ｈａが、また、この入り口側と反対側にはインナーバルコニーＨｂが設けてあって、各住戸間の界壁Ｈｍと廊下Ｈａに面した外壁ＨｎとインナーバルコニーＨｂの外側の外壁Ｈｎ’とによって一住戸の屋内空間２０が構成されており、この屋内空間２０を間仕切り壁等の適宜の仕切り手段によって各居住空間を構成するようにしてある。
【００５２】
この図示例にあっては、インナーバルコニーＨｂの内側に内壁Ｈｈを設けてあり、当該内壁Ｈｈと前記各外壁Ｈｎ、Ｈｎ’にそれぞれ窓Ｈｉを屋内空間２０がほぼ気密状態となるように設けてあり、当該インナーバルコニーＨｂをサンルーム状に構成してある。
【００５３】
そして廊下Ｈａ側の外壁Ｈｎに入り口建具１０ａ、この図示例にあっては入り口ドア１０ａ’を備えた開口を設け、この入り口ドア１０ａ’の屋内側に玄関１０を設けてある。
【００５４】
この住宅Ｈの入り口部に備えられる玄関１０は、間仕切り壁１２等の適宜の仕切り手段によって屋内空間２０と仕切られており、当該仕切り手段と廊下Ｈａに面した外壁Ｈｎ並びに界壁Ｈｍとによって一個の独立した空間を構成するようにしてある。
【００５５】
そして、この独立した玄関１０と、当該玄関１０によって仕切られた当該住宅Ｈの屋内空間２０とを連絡する開口に備えられる建具１０ｂが、当該開口を気密状態に閉じ得るように構成してある。この図示例にあっては、当該建具１０ｂを高い気密性をもって前記開口を閉じ得るドア１０ｂ’によって構成してある。
【００５６】
かかる構成の玄関１０にあって、出入りの妨げとならない位置、この図示例にあっては、前記入り口ドア１０ａ’と屋内空間２０を仕切る前記ドア１０ｂ’とを結ぶ線分から外れた位置に洗面装置１５と建具１６ａ付き収納部１６とが設けてある。
【００５７】
また、この図１〜図３及び図４に示される図示例にあって、前記と同様に玄関で仕切られた住宅の内側に追って説明するように、「当該玄関で仕切られて当該玄関から気密状態に備えられている建具を介して出入りされる当該住宅の玄関の屋内側に備えられており、しかも、清浄フィルターを介して外気を導き入れるようにしてある屋内空間」を構成するようにしてあり、前記と同様に、これを「当該屋内空間」と称して説明する。
【００５８】
この洗面装置１５は、この図示例にあっては、洗面ボール１５ａと水栓１５ｂとを備えており、外部から当該玄関１０に入室した際に、手や顔等を洗ったり、ハンカチーフ、マスク、ゴーグル等を簡単に洗い得るようにしてあり、屋外において花粉等の有害物質に汚染され易い対象物を当該洗面装置１５を用いて洗うことによって、花粉等の有害物質が玄関１０から当該玄関１０によって仕切られている当該屋内空間２０に侵入するのを効果的に防ぐことができる。
【００５９】
また、この洗面装置１５には、洗眼用水栓１５ｃが備えてあり、この洗眼用水栓１５ｃを用いて屋外から当該玄関１０に入室した際に、花粉等の有害物質で汚染されている眼を洗うことによって花粉症の発症を抑制したり、症状の緩和をはかることができると共に、当該花粉等の有害物質が、この玄関１０で仕切られている当該屋内空間２０に侵入するのを効果的に防ぐことができる。
【００６０】
また、この玄関１０に引き戸１６ａ’等の建具１６ａを備えて構成されている収納部１６は、屋外において着装されて花粉等の有害物質の汚染度の高い、例えば、帽子、コート、ウインドブレーカー、手袋等の各種の屋外着装用装具類を当該収納部１６に収納し、当該玄関１０によって仕切られている当該屋内空間２０に持ち込まないようにすることで、この屋外着装装具類に付着している花粉等の有害物質が当該玄関１０によって仕切られた当該屋内空間２０に侵入するのを効果的に防ぐことができる。
【００６１】
この玄関１０に備えられる収納部１６は、各収納対象物である屋外着装装具類に対応した収納手段を備えたものとして構成される。例えば、ハンガー用ロッド、フック、棚、小物収納抽斗等適宜の収納手段を備えたものとして構成し、コートやウインドブレーカー等はハンガーでロッドに吊し並べ、帽子はフックに掛け、また、手袋は棚に並べ置く等によって、再着装に都合の良い状態に収納し得るようにしておくことが好ましい。
【００６２】
また、この玄関１０には、界壁Ｈｍ部分に吸気ダクト１３が上下方向に向けて設けてあり、この吸気ダクト１３に接続した吸込み手段１４を用いて衣類、身体、履き物等に付着した花粉等の有害物質を吸入除去し、また、屋外着装用装具類に付着している花粉等の有害物質を吸入除去し、さらには、玄関内に浮遊している花粉等の有害物質を吸引除去し、また、玄関床面や壁面等に付着してる花粉等の有害物質を吸入除去し得る構成としてある。
【００６３】
この吸気ダクト１３は、当該ダクト１３に接続された吸込み手段１４によって花粉等の有害物質が効果的に当該ダクト１３内が吸入され得るように、例えば、ダクト１３の出口側にブロワー（図示省略）を設け、このダクト１３内が所定の減圧状態に維持されるようにしてある。
【００６４】
かかる吸込み手段１４は、この図示例にあっては、その取扱いの利便性から、十分な可撓性を備えた、例えば、エラストマーからなる蛇腹筒状のホース１４ａを前記吸気ダクト１３に連通するように設け、この可撓性ホース１４ａの先端側に硬質の吸込み口１４ｂを設け、この吸込み口１４ｂ部を握って花粉等の有害物質の吸入をなし得るようにしてあり、不使用時にあっては、当該ホース１４ａの通路を栓１４ｃを用いて完全に塞ぎ、例えば、玄関１０に備えられているフック１４ｄに引っ掛けて歩行等の妨げとならないようにする。
【００６５】
かかる玄関１０に備えられる換気装置１１は、給気手段１１ａを備えた換気装置１１’と排気手段１１ｂを備えた換気装置１１’とで構成してある。この換気装置１１を構成する給気手段１１ａと排気手段１１ｂは共に外壁Ｈｎに備えてあり、いずれも機械的給気をなす換気装置１１’と機械的排気をなす換気装置１１’としてあって、給気をなす換気装置１１’には清浄フィルター１１ｃが設けてあって、この清浄フィルター１１ｃを介して外気を当該玄関１０内に導入するようにしてある。
【００６６】
ここで用いられる清浄フィルター１１ｃは、花粉等の微粉塵を捕捉するフィルター材と窒素酸化物等を捕捉するフィルター材とを備えており、十分な帯電状態に維持された静電荷を備えたものが用いられており、花粉等の有害物質を効果的に捕捉し得る構成としてある。
【００６７】
このように玄関１０において、花粉等の有害物質が除去されたり、あるいは、これらの花粉等の有害物質に汚染されている状態で当該玄関１０から当該玄関１０によって仕切られている当該屋内空間２０に入り込まないようにすることによって、これらの花粉等の有害物質によって汚染されていない当該屋内空間２０が構成される。この玄関１０によって仕切られている当該屋内空間２０は、この図示例にあっては各外壁Ｈｎ、Ｈｎ’と界壁Ｈｍとによって囲まれ、しかも、気密性を備えた窓Ｈｉで囲まれた独立の気密性を備えた空間として構成してあり、特に、この図示例にあっては、インナーバルコニーＨｂを当該外壁Ｈｎ’と内壁Ｈｈとの間に備えた構成としてある。
【００６８】
この玄関１０によって仕切られた当該屋内空間２０は、通例複数の居住空間、例えば、玄関ホール、廊下、リビングルーム、ダイニングルーム、キッチン、ベッドルームや和室等に適宜仕切り用いられる。また、キッチン設備並びにサニタリー設備のみを備えた所謂ワンルームタイプの間仕切り構造を備えたものとして構成される。
【００６９】
かかる玄関１０から建具１０ｂを介して出入りされる当該屋内空間２０は、各窓Ｈｉが気密性を保つように設備してあり、間仕切り壁その他適宜の仕切り材３１によって当該屋内空間２０から仕切り区分された仕切り空間３０を備えている。この仕切り空間３０は、典型的には、ドア３０ａ’その他の備え付け建具３０ａを用いて当該仕切り空間３０に出入りし得ようにしてある。なお、この建具３０ａを仕切り空間３０がほぼ気密性を保ち得るように設けることができる。また、この建具３０ａを設けることなく当該仕切り空間３０に屋内空間２０から直接出入りし得るように構成することもできる。
【００７０】
この当該屋内空間２０に備えられる仕切り空間３０は、屋外において花粉等の有害物質に汚染された身体の洗浄や、衣服類の洗濯等に用いられるものであって、この図示例にあっては、典型的なサニタリー設備、洗濯機等を備えたものとして構成してある。
【００７１】
かかる仕切り空間３０には、トイレットルーム３２、浴室３３がそれぞれ建具３２ａ、３３ａを備えた仕切り材によって仕切り設けてあると共に、脱衣室を兼ねた空間部分に洗濯機３４と洗面化粧台３５を設置し、このそれぞれの仕切り区分されたトイレットルーム３２、浴室３３、脱衣室等に排気扇３６ｂを備えた換気ダクト３６ａを設け、この仕切り空間３０における各排気ダクト３６ａを纏めて外壁Ｈｎ’から屋外に当該仕切り空間３０内の空気を機械的に送り出すようにした換気装置３６が設けてある。また、この仕切り空間３０には、洗濯物の乾燥機をさらに設置して用いるようにしてあってもよい
【００７２】
また、前記玄関１０によって仕切られた当該屋内空間２０に対して、外気を導き入れる換気装置２１を設けてある。この換気装置２１は、外壁Ｈｎ’に備えられた機械的給気をなす給気手段２１ａを備えた換気装置２１Ｂとしてあり、その内側に清浄フィルター２１ｂを設置してあり、外部から花粉等の有害物質が当該屋内空間２０に侵入するのを効果的に防止するようにしてある。
【００７３】
また、この当該屋内空間２０に給気する換気装置２１は、前記仕切り空間３０から排出されて減圧状態とされる当該屋内空間２０を外気圧に均衡させ、あるいは、外気圧よりも高めにすることができる。
【００７４】
また、この図示例にあっては、内壁Ｈｈにさらに換気孔２１Ａを設け、この換気孔２１Ａに清浄フィルター２１ｂを備え付けることによって、玄関１０によって仕切られた当該屋内空間２０における花粉等の有害物質による汚染をさらに効果的に防ぐことができる。
【００７５】
ついで、図４に示される第２の実施の形態に係る住宅Ｈは、前記図１〜図３において示される住宅Ｈにおける玄関１０の換気装置１１を熱交換換気装置１１Ａとし、また、浴室３３における換気を浴室換気乾燥機３６ｃとし、しかも、当該屋内空間２０の外壁Ｈｎ’に備えられる換気装置２１を熱交換換気装置２１Ｄとした以外の構成を当該図１〜図３に示される住宅の構成と同一又は実質的に同一の構成としてある。
【００７６】
従って、前記図１〜図３における住宅Ｈの構成と同一又は実質的に同一の構成部分には同一の番号を付して、その説明を省略する。
【００７７】
この図４において示される住宅Ｈの玄関１０における換気は、外壁Ｈｎに清浄フィルター１１ｃを備える機械的給気手段と機械的排気手段とを備えた熱交換換気装置１１Ａを設け、この熱交換換気装置１１Ａによって当該玄関１０の換気をなすようにしてあり、換気に伴う熱損失を効果的に減ずることができ、玄関１０に出入りする際の違和感を減少することができる。
【００７８】
また、この図４に示される住宅Ｈにおける玄関１０から建具１０ｂを介して出入りされる当該屋内空間２０の外壁Ｈｎ’に備えられている換気装置２１を、清浄フィルター２１ｂを備えた機械的給気手段と機械的排気手段とを備えた熱交換換気装置２１Ｄとしてあって、この屋内空間２０における冷暖房の効率を効果的に高めることができる。
【００７９】
また、この図４に示されている住宅Ｈの浴室には、浴室換気乾燥機３６ｃが設けてあり、この浴室内において洗濯物の乾燥をなすことが可能とされ、洗濯物を外気に触れさせることなく、すなわち、花粉等の有害物質によって汚染されない状態で乾燥させることができる。
【図面の簡単な説明】
【００８０】
【図１】典型的な住宅を平断面状態で示した構成図
【図２】同要部の平断面図
【図３】同要部の斜視図
【図４】典型的な他の住宅を平断面状態で示した構成図
【符号の説明】
【００８１】
Ｈ  住宅
１０  玄関
１１  換気装置
１１ａ  清浄フィルター
１３  吸気ダクト
１４  吸い込み手段
１５  洗面装置
１５ｃ  洗眼用水栓
１６  収納部
２０  屋内空間
２１  換気装置
２１ｂ  清浄フィルター
３０  仕切り空間
３３  浴室
３４  洗濯機
３６  換気装置
３６ｃ  浴室換気乾燥機
【図１】
2007092371.tif 000003
【図２】
2007092371.tif 000004
【図３】
2007092371.tif 000005
【図４】
2007092371.tif 000006